【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
アクセスポイント（ＡＰ）において、前記ＡＰに関連付けられた局（ＳＴＡ）における送信要求／送信可（ＲＴＳ／ＣＴＳ）プロトコルのアップリンク（ＵＬ）送信を無効化することまたは有効化することの一方または両方をトリガするための１つまたは複数の条件を識別することと、ここにおいて、前記１つまたは複数の条件を識別することが、前記ＳＴＡにおける前記ＲＴＳ／ＣＴＳプロトコルの前記ＵＬ送信をそれについて無効化するためのパケットタイプを識別することをさらに備える、
前記ＡＰにおいて、前記ＳＴＡのための持続時間送信機会（ＴＸＯＰ）しきい値を決定することと、
前記ＳＴＡを含む１つまたは複数のＳＴＡに前記ＴＸＯＰしきい値を有するメッセージをブロードキャストすべきなのか、前記ＳＴＡに前記メッセージをユニキャストすべきなのかを決定することと、
前記メッセージをブロードキャストすべきなのか、前記メッセージをユニキャストすべきなのかの前記決定に従って前記メッセージを送信することと、ここにおいて、前記ＳＴＡは、前記ＳＴＡに関連付けられた計画されたＴＸＯＰ持続時間が前記ＴＸＯＰしきい値を満たすとき、前記ＳＴＡにおける前記ＲＴＳ／ＣＴＳプロトコルの前記ＵＬ送信を有効化する、
前記ＳＴＡに構成メッセージを送信することと、前記構成メッセージが、前記ＲＴＳ／ＣＴＳプロトコルの前記ＵＬ送信を無効化することまたは有効化することの一方または両方を前記ＳＴＡにおいてトリガするための前記１つまたは複数の条件を示す構成情報を含み、ここにおいて、前記構成情報が前記パケットタイプをさらに示す、
を備える、ワイヤレス通信のための方法。
【請求項２】
前記１つまたは複数の条件は、送信オーバーヘッドパラメータが所定のオーバーヘッドしきい値よりも小さいという無効化条件を含む、請求項１に記載の方法。
【請求項３】
前記送信オーバーヘッドパラメータがＰＬＣＰプロトコルデータユニット（ＰＰＤＵ）持続時間であり、前記所定のオーバーヘッドしきい値がＰＰＤＵしきい値であるか、または
前記送信オーバーヘッドパラメータが送信機会（ＴＸＯＰ）であり、前記所定のオーバーヘッドしきい値がＴＸＯＰしきい値である、
請求項２に記載の方法。
【請求項４】
前記１つまたは複数の条件は、リンク品質パラメータが所定のリンク品質しきい値よりも大きいという無効化条件を含む、請求項１に記載の方法。
【請求項５】
前記リンク品質パラメータがＲＳＳＩであり、前記所定のリンク品質しきい値がＲＳＳＩしきい値であるか、または
前記リンク品質パラメータがＭＣＳインデックス値であり、前記所定のリンク品質しきい値がＲＳＳＩしきい値である、
請求項４に記載の方法。
【請求項６】
前記１つまたは複数の条件を識別することが、前記ＳＴＡにおける前記ＲＴＳ／ＣＴＳプロトコルの前記ＵＬ送信をその中で無効化するための時間ウィンドウまたはチャネルを識別することを備え、
前記構成メッセージが、前記時間ウィンドウまたはチャネルを示す構成情報を含む、請求項１に記載の方法。
【請求項７】
前記１つまたは複数の条件は、衝突パラメータが所定の衝突しきい値よりも小さいという無効化条件を含む、請求項１に記載の方法。
【請求項８】
前記衝突パラメータがＰＥＲであり、前記所定の衝突しきい値がＰＥＲしきい値であるか、または
前記衝突パラメータが再送信の数であり、前記所定の衝突しきい値が再試行しきい値である、
請求項７に記載の方法。
【請求項９】
現在のＴＸＯＰしきい値を前記メッセージ中の前記ＴＸＯＰしきい値と交換するようにとの指示を送信することをさらに備える、請求項１に記載の方法。
【請求項１０】
前記メッセージを送信することが、前記メッセージをブロードキャストすることを含み、前記指示が、現在のＴＸＯＰしきい値を前記ブロードキャストメッセージ中の前記ＴＸＯＰしきい値と交換するようにとの、前記１つまたは複数のＳＴＡの各々のための共通指示である前記ブロードキャストメッセージ中のシングルビットである、請求項９に記載の方法。
【請求項１１】
前記メッセージを送信することが、前記メッセージをブロードキャストすることを含み、前記指示が前記ブロードキャストメッセージ中のビットマップであり、ここで、前記ビットマップ中の各設定されたビットは、それのための前記現在のＴＸＯＰしきい値が、前記ブロードキャストメッセージ中の前記ＴＸＯＰしきい値と交換されるべきである前記１つまたは複数のＳＴＡのそれぞれのＳＴＡを識別する、請求項９に記載の方法。
【請求項１２】
前記メッセージを送信することが、前記メッセージを前記ＳＴＡにユニキャストすることを含み、前記ＳＴＡにおける現在のＴＸＯＰしきい値が、前記ユニキャストメッセージ中の前記ＴＸＯＰしきい値と交換されるべきである、前にブロードキャストされたＴＸＯＰしきい値である、請求項１に記載の方法。
【請求項１３】
前記メッセージが、前記ＴＸＯＰしきい値を有するアップリンク（ＵＬ）送信要求／送信可（ＲＴＳ／ＣＴＳ）制御情報要素（ＩＥ）を含む、請求項１に記載の方法。
【請求項１４】
局（ＳＴＡ）において、アクセスポイント（ＡＰ）から、前記ＡＰに関連付けられた前記ＳＴＡにおける送信要求／送信可（ＲＴＳ／ＣＴＳ）プロトコルのアップリンク（ＵＬ）送信を無効化することまたは有効化することの一方または両方をトリガするための１つまたは複数の条件を示す構成情報を含む構成メッセージを受信することと、
前記構成メッセージ中で与えられた前記構成情報に基づいて前記ＳＴＡを構成することと、ここにおいて、前記構成情報が、前記ＳＴＡにおける前記ＲＴＳ／ＣＴＳプロトコルの前記ＵＬ送信をそれについて無効化するためのパケットタイプをさらに示す、
前記ＳＴＡにおいて、送信機会（ＴＸＯＰ）しきい値を有するメッセージを受信することと、
前記受信されたメッセージ中の指示に基づいて、前記ＳＴＡにおける現在のＴＸＯＰしきい値を、前記受信されたメッセージ中の前記ＴＸＯＰしきい値と交換することと、
計画されたＴＸＯＰ持続時間が前記ＴＸＯＰしきい値を満たすと決定することと、
前記計画されたＴＸＯＰ持続時間が前記ＴＸＯＰしきい値を満たすという決定に応答してＵＬ  ＲＴＳフレームを送信することと
を備える、ワイヤレス通信のための方法。
【請求項１５】
前記メッセージが前記ＡＰからのブロードキャストメッセージであり、前記指示が、前記現在のＴＸＯＰしきい値を前記ブロードキャストメッセージ中の前記ＴＸＯＰしきい値と交換するようにとの共通指示である前記ブロードキャストメッセージ中のシングルビットである、請求項１４に記載の方法。
【請求項１６】
前記メッセージが前記ＡＰからのブロードキャストメッセージであり、前記指示が前記ブロードキャストメッセージ中のビットマップであり、ここで、前記ビットマップ中の１つの設定されたビットは、前記ＳＴＡを、それのための前記現在のＴＸＯＰしきい値が、前記ブロードキャストメッセージ中の前記ＴＸＯＰしきい値と交換されるべきであるＳＴＡとして識別する、請求項１４に記載の方法。
【請求項１７】
前記メッセージがユニキャストメッセージであり、前記ＳＴＡにおける前記現在のＴＸＯＰしきい値が、前記ユニキャストメッセージ中の前記ＴＸＯＰしきい値と交換されるべきである、前にブロードキャストされたＴＸＯＰしきい値である、請求項１４に記載の方法。
【請求項１８】
前記メッセージが、前記ＴＸＯＰしきい値を有するアップリンク（ＵＬ）送信要求／送信可（ＲＴＳ／ＣＴＳ）制御情報要素（ＩＥ）を含む、請求項１４に記載の方法。
【請求項１９】
プロセッサと、
前記プロセッサに結合されたメモリと
を備え、ここにおいて、前記メモリは、
アクセスポイント（ＡＰ）において、前記ＡＰに関連付けられた局（ＳＴＡ）における送信要求／送信可（ＲＴＳ／ＣＴＳ）プロトコルのアップリンク（ＵＬ）送信を無効化することまたは有効化することの一方または両方をトリガする１つまたは複数の条件を識別することと、
前記ＳＴＡにおける前記ＲＴＳ／ＣＴＳプロトコルの前記ＵＬ送信をそれについて無効化するためのパケットタイプを識別することと、
前記ＲＴＳ／ＣＴＳプロトコルの前記ＵＬ送信を無効化することまたは有効化することの一方または両方を前記ＳＴＡにおいてトリガする前記１つまたは複数の条件および前記パケットタイプを示す構成情報を含む構成メッセージを前記ＳＴＡに送信することと
を行うために前記プロセッサによって実行可能な命令を含み、ここにおいて、前記プロセッサによって実行可能な前記命令が、
前記ＡＰにおいて、前記ＳＴＡのための送信機会（ＴＸＯＰ）しきい値を決定することと、
前記ＳＴＡを含む１つまたは複数のＳＴＡに前記ＴＸＯＰしきい値を有するメッセージをブロードキャストすべきなのか、前記ＳＴＡに前記メッセージをユニキャストすべきなのかを決定することと、
前記メッセージをブロードキャストすべきなのか、前記メッセージをユニキャストすべきなのかの前記決定に従って前記メッセージを送信することと、ここにおいて、前記ＳＴＡは、前記ＳＴＡに関連付けられた計画されたＴＸＯＰ持続時間が前記ＴＸＯＰしきい値を満たすとき、前記ＳＴＡにおける前記ＲＴＳ／ＣＴＳプロトコルの前記ＵＬ送信を有効化する、
を行うためにさらに実行可能である、ワイヤレス通信のための装置。
【請求項２０】
前記１つまたは複数の条件は、送信オーバーヘッドパラメータが所定のオーバーヘッドしきい値よりも小さいという無効化条件を含む、請求項１９に記載の装置。
【請求項２１】
前記１つまたは複数の条件は、リンク品質パラメータが所定のリンク品質しきい値よりも大きいという無効化条件を含む、請求項１９に記載の装置。
【請求項２２】
前記命令が、
前記１つまたは複数の条件に基づいて、前記ＳＴＡにおける前記ＲＴＳ／ＣＴＳプロトコルの前記ＵＬ送信をその中で無効化するための時間ウィンドウまたはチャネルを識別すること
を行うためにさらに実行可能である、請求項１９に記載の装置。
【請求項２３】
プロセッサと、
前記プロセッサに結合されたメモリと
を備え、ここにおいて、前記メモリは、
局（ＳＴＡ）において、アクセスポイント（ＡＰ）から、前記ＡＰに関連付けられた前記ＳＴＡにおける送信要求／送信可（ＲＴＳ／ＣＴＳ）プロトコルのアップリンク（ＵＬ）送信を無効化することまたは有効化することの一方または両方をトリガする１つまたは複数の条件を示す構成情報を含む構成メッセージを受信することと、
前記構成メッセージ中で与えられた前記構成情報に基づいて前記ＳＴＡを構成することと、ここにおいて、前記構成情報が、前記ＳＴＡにおける前記ＲＴＳ／ＣＴＳプロトコルの前記ＵＬ送信をそれについて無効化するためのパケットタイプをさらに示す、
前記ＳＴＡにおいて、送信機会（ＴＸＯＰ）しきい値を有するメッセージを受信することと、
前記受信されたメッセージ中の指示に基づいて、前記ＳＴＡにおける現在のＴＸＯＰしきい値を、前記受信されたメッセージ中の前記ＴＸＯＰしきい値と交換することと、
計画されたＴＸＯＰ持続時間が前記ＴＸＯＰしきい値を満たすと決定することと、
前記計画されたＴＸＯＰ持続時間が前記ＴＸＯＰしきい値を満たすという決定に応答してＵＬ  ＲＴＳフレームを送信することと
を行うために前記プロセッサによって実行可能な命令を含む、ワイヤレス通信のための装置。
【請求項２４】
前記構成メッセージが前記ＡＰからのブロードキャストメッセージであり、前記構成メッセージの前記構成情報が、前記現在のＴＸＯＰしきい値を前記ブロードキャストメッセージ中の前記ＴＸＯＰしきい値と交換するようにとの共通指示である前記ブロードキャストメッセージ中のシングルビットを含む、請求項２３に記載の装置。
【請求項２５】
前記構成メッセージが前記ＡＰからのブロードキャストメッセージであり、前記構成メッセージの前記構成情報が前記ブロードキャストメッセージ中のビットマップを含み、ここで、前記ビットマップ中の１つの設定されたビットは、前記ＳＴＡを、それのための前記現在のＴＸＯＰしきい値が、前記ブロードキャストメッセージ中の前記ＴＸＯＰしきい値と交換されるべきであるＳＴＡとして識別する、請求項２３に記載の装置。
【手続補正２】
【補正対象書類名】明細書
【補正対象項目名】０１２３
【補正方法】変更
【補正の内容】
【０１２３】
[00133]本開示の様々な態様は、当業者が本発明を実施することができるようにするために提供される。本開示全体にわたって提示される実装形態の例への様々な変更が当業者には容易に明らかであり、本明細書で開示された概念は他の磁気記憶デバイスに拡張され得る。したがって、特許請求の範囲は、本開示の様々な態様に限定されるものではなく、特許請求の範囲の文言に矛盾しない全範囲を与えられるべきである。当業者に知られている、または後に知られることになる、本開示全体にわたって説明された実装形態の例の様々な構成要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条（ｆ）の規定の下で解釈されるべきではない。
以下に本願の出願当初の特許請求の範囲に記載された発明を付記する。
[Ｃ１]  アクセスポイント（ＡＰ）において、前記ＡＰに関連付けられた局（ＳＴＡ）における送信要求／送信可（ＲＴＳ／ＣＴＳ）プロトコルのアップリンク（ＵＬ）送信を無効化することまたは有効化することの一方または両方のための１つまたは複数の条件を識別することと、
前記ＳＴＡに構成メッセージを送信することと、前記構成メッセージが、前記１つまたは複数の条件を示す構成情報を含む、
を備える、ワイヤレス通信のための方法。
[Ｃ２]  前記１つまたは複数の条件は、送信オーバーヘッドパラメータが所定のオーバーヘッドしきい値よりも小さいという無効化条件を含む、Ｃ１に記載の方法。
[Ｃ３]  前記送信オーバーヘッドパラメータがＰＬＣＰプロトコルデータユニット（ＰＰＤＵ）持続時間であり、前記所定のオーバーヘッドしきい値がＰＰＤＵしきい値であるか、または
前記送信オーバーヘッドパラメータが送信機会（ＴＸＯＰ）であり、前記所定のオーバーヘッドしきい値がＴＸＯＰしきい値である、
Ｃ２に記載の方法。
[Ｃ４]  前記１つまたは複数の条件は、リンク品質パラメータが所定のリンク品質しきい値よりも大きいという無効化条件を含む、Ｃ１に記載の方法。
[Ｃ５]  前記リンク品質パラメータがＲＳＳＩであり、前記所定のリンク品質しきい値がＲＳＳＩしきい値であるか、または
前記リンク品質パラメータがＭＣＳインデックス値であり、前記所定のリンク品質しきい値がＲＳＳＩしきい値である、
Ｃ４に記載の方法。
[Ｃ６]  前記１つまたは複数の条件を識別することが、前記ＳＴＡにおける前記ＲＴＳ／ＣＴＳプロトコルの前記ＵＬ送信をその中で無効化するための時間ウィンドウまたはチャネルを識別することを備え、
前記構成メッセージが、前記時間ウィンドウまたはチャネルを示す構成情報を含む、Ｃ１に記載の方法。
[Ｃ７]  前記１つまたは複数の条件は、衝突パラメータが所定の衝突しきい値よりも小さいという無効化条件を含む、Ｃ１に記載の方法。
[Ｃ８]  前記衝突パラメータがＰＥＲであり、前記所定の衝突しきい値がＰＥＲしきい値であるか、または
前記衝突パラメータが再送信の数であり、前記所定の衝突しきい値が再試行しきい値である、
Ｃ７に記載の方法。
[Ｃ９]  前記１つまたは複数の条件を識別することが、前記ＳＴＡにおける前記ＲＴＳ／ＣＴＳプロトコルの前記ＵＬ送信をそれについて無効化するためのパケットタイプまたはアクセスクラスを識別することを備え、
前記構成メッセージが、前記パケットタイプまたは前記アクセスクラスを示す構成情報を含む、
Ｃ８に記載の方法。
[Ｃ１０]  前記１つまたは複数の条件を示す前記構成情報を含む前記構成メッセージを送信することが、
前記ＡＰにおいて、前記ＳＴＡのための送信機会（ＴＸＯＰ）しきい値を決定することと、
前記ＳＴＡを含む１つまたは複数のＳＴＡに前記ＴＸＯＰしきい値を有するメッセージをブロードキャストすべきなのか、前記ＳＴＡに前記メッセージをユニキャストすべきなのかを決定することと、
前記メッセージをブロードキャストすべきなのか、前記メッセージをユニキャストすべきなのかの前記決定に従って前記メッセージを送信することと、ここにおいて、前記ＳＴＡは、前記ＳＴＡに関連付けられた計画されたＴＸＯＰ持続時間が前記ＴＸＯＰしきい値を満たすとき、前記ＳＴＡにおける前記ＲＴＳ／ＣＴＳプロトコルの前記ＵＬ送信を有効化する、
を含む、Ｃ１に記載の方法。
[Ｃ１１]  現在のＴＸＯＰしきい値を前記メッセージ中の前記ＴＸＯＰしきい値と交換するようにとの指示を送信することをさらに備える、Ｃ１０に記載の方法。
[Ｃ１２]  前記メッセージを送信することが、前記メッセージをブロードキャストすることを含み、前記指示が、現在のＴＸＯＰしきい値を前記ブロードキャストメッセージ中の前記ＴＸＯＰしきい値と交換するようにとの、前記１つまたは複数のＳＴＡの各々のための共通指示である前記ブロードキャストメッセージ中のシングルビットである、Ｃ１１に記載の方法。
[Ｃ１３]  前記メッセージを送信することが、前記メッセージをブロードキャストすることを含み、前記指示が前記ブロードキャストメッセージ中のビットマップであり、ここで、前記ビットマップ中の各設定されたビットは、それのための前記現在のＴＸＯＰしきい値が、前記ブロードキャストメッセージ中の前記ＴＸＯＰしきい値と交換されるべきである前記１つまたは複数のＳＴＡのそれぞれのＳＴＡを識別する、Ｃ１１に記載の方法。
[Ｃ１４]  前記メッセージを送信することが、前記メッセージを前記ＳＴＡにユニキャストすることを含み、前記ＳＴＡにおける現在のＴＸＯＰしきい値が、前記ユニキャストメッセージ中の前記ＴＸＯＰしきい値と交換されるべきである、前にブロードキャストされたＴＸＯＰしきい値である、Ｃ１０に記載の方法。
[Ｃ１５]  前記メッセージが、前記ＴＸＯＰしきい値を有するアップリンク（ＵＬ）送信要求／送信可（ＲＴＳ／ＣＴＳ）制御情報要素（ＩＥ）を含む、Ｃ１０に記載の方法。
[Ｃ１６]  局（ＳＴＡ）において、アクセスポイント（ＡＰ）から構成メッセージを受信することと、ここにおいて、前記構成メッセージが、前記ＡＰに関連付けられた前記ＳＴＡにおける送信要求／送信可（ＲＴＳ／ＣＴＳ）プロトコルのアップリンク（ＵＬ）送信を無効化することまたは有効化することの一方または両方のための１つまたは複数の条件を示す構成情報を含む、
前記構成メッセージ中で与えられた前記構成情報に基づいて前記ＳＴＡを構成することと
を備える、ワイヤレス通信のための方法。
[Ｃ１７]  前記ＡＰから前記構成メッセージを受信することは、
前記ＳＴＡにおいて前記ＡＰから、送信機会（ＴＸＯＰ）しきい値を有するメッセージを受信することと、
前記受信されたメッセージ中の指示に基づいて、前記ＳＴＡにおける現在のＴＸＯＰしきい値を、前記受信されたメッセージ中の前記ＴＸＯＰしきい値と交換することと、
計画されたＴＸＯＰ持続時間が前記ＴＸＯＰしきい値を満たすと決定することと、
前記計画されたＴＸＯＰ持続時間が前記ＴＸＯＰしきい値を満たすという決定に応答してＵＬ  ＲＴＳフレームを送信することと
を備える、Ｃ１６に記載の方法。
[Ｃ１８]  前記メッセージが前記ＡＰからのブロードキャストメッセージであり、前記指示が、前記現在のＴＸＯＰしきい値を前記ブロードキャストメッセージ中の前記ＴＸＯＰしきい値と交換するようにとの共通指示である前記ブロードキャストメッセージ中のシングルビットである、Ｃ１７に記載の方法。
[Ｃ１９]  前記メッセージが前記ＡＰからのブロードキャストメッセージであり、前記指示が前記ブロードキャストメッセージ中のビットマップであり、ここで、前記ビットマップ中の１つの設定されたビットは、前記ＳＴＡを、それのための前記現在のＴＸＯＰしきい値が、前記ブロードキャストメッセージ中の前記ＴＸＯＰしきい値と交換されるべきであるＳＴＡとして識別する、Ｃ１７に記載の方法。
[Ｃ２０]  前記メッセージがユニキャストメッセージであり、前記ＳＴＡにおける前記現在のＴＸＯＰしきい値が、前記ユニキャストメッセージ中の前記ＴＸＯＰしきい値と交換されるべきである、前にブロードキャストされたＴＸＯＰしきい値である、Ｃ１７に記載の方法。
[Ｃ２１]  前記メッセージが、前記ＴＸＯＰしきい値を有するアップリンク（ＵＬ）送信要求／送信可（ＲＴＳ／ＣＴＳ）制御情報要素（ＩＥ）を含む、Ｃ１７に記載の方法。
[Ｃ２２]  プロセッサと、
前記プロセッサに結合されたメモリと
を備え、ここにおいて、前記メモリは、
アクセスポイント（ＡＰ）において、前記ＡＰに関連付けられた局（ＳＴＡ）における送信要求／送信可（ＲＴＳ／ＣＴＳ）プロトコルのアップリンク（ＵＬ）送信を無効化または有効化するための１つまたは複数の条件を識別することと、
前記ＳＴＡに構成メッセージを送信することと、前記構成メッセージが、前記１つまたは複数の条件を示す構成情報を含む、
を行うために前記プロセッサによって実行可能な命令を含む、
ワイヤレス通信のための装置。
[Ｃ２３]  前記１つまたは複数の条件は、送信オーバーヘッドパラメータが所定のオーバーヘッドしきい値よりも小さいという無効化条件を含む、Ｃ２２に記載の装置。
[Ｃ２４]  前記１つまたは複数の条件は、リンク品質パラメータが所定のリンク品質しきい値よりも大きいという無効化条件を含む、Ｃ２２に記載の装置。
[Ｃ２５]  前記命令が、
前記１つまたは複数の条件に基づいて、前記ＳＴＡにおける前記ＲＴＳ／ＣＴＳプロトコルの前記ＵＬ送信をその中で無効化するための時間ウィンドウまたはチャネルを識別すること
を行うためにさらに実行可能である、Ｃ２２に記載の装置。
[Ｃ２６]  前記１つまたは複数の条件を示す前記構成情報を含む前記構成メッセージを送信するために前記プロセッサによって実行可能な前記命令は、
前記ＡＰにおいて、前記ＳＴＡのための送信機会（ＴＸＯＰ）しきい値を決定することと、
前記ＳＴＡを含む１つまたは複数のＳＴＡに前記ＴＸＯＰしきい値を有するメッセージをブロードキャストすべきなのか、前記ＳＴＡに前記メッセージをユニキャストすべきなのかを決定することと、
前記メッセージをブロードキャストすべきなのか、前記メッセージをユニキャストすべきなのかの前記決定に従って前記メッセージを送信することと、ここにおいて、前記ＳＴＡは、前記ＳＴＡに関連付けられた計画されたＴＸＯＰ持続時間が前記ＴＸＯＰしきい値を満たすとき、前記ＳＴＡにおける前記ＲＴＳ／ＣＴＳプロトコルの前記ＵＬ送信を有効化する、
を行うためにさらに実行可能である、Ｃ２２に記載の装置。
[Ｃ２７]  プロセッサと、
前記プロセッサに結合されたメモリと
を備え、ここにおいて、前記メモリは、
局（ＳＴＡ）において、アクセスポイント（ＡＰ）から構成メッセージを受信することと、ここにおいて、前記構成メッセージが、前記ＡＰに関連付けられた前記ＳＴＡにおける送信要求／送信可（ＲＴＳ／ＣＴＳ）プロトコルのアップリンク（ＵＬ）送信を無効化または有効化するための１つまたは複数の条件を示す構成情報を含む、
前記構成メッセージ中で与えられた前記構成情報に基づいて前記ＳＴＡを構成することと
を行うために前記プロセッサによって実行可能な命令を含む、
ワイヤレス通信のための装置。
[Ｃ２８]  前記ＡＰから前記構成メッセージを受信するための前記命令は、
前記ＳＴＡにおいて前記ＡＰから、送信機会（ＴＸＯＰ）しきい値を有するメッセージを受信することと、
前記受信されたメッセージ中の指示に基づいて、前記ＳＴＡにおける現在のＴＸＯＰしきい値を、前記受信されたメッセージ中の前記ＴＸＯＰしきい値と交換することと、
計画されたＴＸＯＰ持続時間が前記ＴＸＯＰしきい値を満たすと決定することと、
前記計画されたＴＸＯＰ持続時間が前記ＴＸＯＰしきい値を満たすという決定に応答してＵＬ  ＲＴＳフレームを送信することと
を行うための命令を含む、Ｃ２７に記載の装置。
[Ｃ２９]  前記メッセージが前記ＡＰからのブロードキャストメッセージであり、前記指示が、前記現在のＴＸＯＰしきい値を前記ブロードキャストメッセージ中の前記ＴＸＯＰしきい値と交換するようにとの共通指示である前記ブロードキャストメッセージ中のシングルビットである、Ｃ２７に記載の装置。
[Ｃ３０]  前記メッセージが前記ＡＰからのブロードキャストメッセージであり、前記指示が前記ブロードキャストメッセージ中のビットマップであり、ここで、前記ビットマップ中の１つの設定されたビットは、前記ＳＴＡを、それのための前記現在のＴＸＯＰしきい値が、前記ブロードキャストメッセージ中の前記ＴＸＯＰしきい値と交換されるべきであるＳＴＡとして識別する、Ｃ２７に記載の装置。